(57)【要約】      （修正有）【課題】トレイルランニング等において、リュックサック６０が振動してこれが身体に伝わり不快である。そこで本考案では、リュックサック６０の振動を抑制することのできるリュックサック保持衣服を提供する。【解決手段】衣服本体１１とリュックサック保持具１２を備えた保持衣服である。リュックサック保持具１２はその保持本体部の上縁１５ａで衣服本体１１の背側襟元部１１ａに縫着されている。保持本体部の裾の左／右端部１５ｂ，１５ｃに長さ調節紐１６，１７を介して一方係止部材１３と他方係止部材１４が取り付けられている。背負ったリュックサック６０の外側からリュックサック保持具１２を被せ、係止部材１３，１４を接続する。これによりリュックサック６０が身体に固定され、振動が抑制される。【選択図】図２
0003149241.tif 000002
【実用新案登録請求の範囲】
【請求項１】
衣服本体とリュックサック保持具を備えたリュックサック保持衣服であり、
前記リュックサック保持具は、リュックサック保持本体部と一対の係止具を有し、
前記保持本体部の上縁が前記衣服本体の背側襟元部に接続され、
且つ前記保持本体部の裾の左端部に前記係止具の一方係止部材が取り付けられると共に、前記保持本体部の裾の右端部に前記係止具の他方係止部材が取り付けられてなることを特徴とするリュックサック保持衣服。
【請求項２】
前記一方係止部材及び／または前記他方係止部材が、長さ調節可能な紐を介して前記保持本体部に取り付けられたものである請求項１に記載のリュックサック保持衣服。
【請求項３】
前記保持本体部における裾縁は、中央部分が上向きにカーブした形状である請求項１または２に記載のリュックサック保持衣服。
【請求項４】
前記保持本体部が、その上縁を上底、裾縁を下底とする略台形状であり、
前記衣服本体の背側襟元部への接続が前記上縁の全域によりなされており、
前記保持本体部における裾の前記左端部及び前記右端部が、前記衣服本体の脇部を経て更に腹側へ延出したものである請求項１〜３のいずれか１項に記載のリュックサック保持衣服。
【請求項５】
前記保持本体部が、その上縁を上底、裾縁を下底とする略台形状であり、
前記衣服本体の背側襟元部への接続が前記上縁の全域によりなされており、
この略台形状の上半分における横幅が、前記衣服本体の背肩幅の２／３以下である請求項１〜４のいずれか１項に記載のリュックサック保持衣服。
【請求項６】
衣服本体とリュックサック保持具を備えたリュックサック保持衣服であり、
該リュックサック保持具は、前記衣服本体の背側襟元部にその上縁が接続されたリュックサック保持本体部を有し、
この保持本体部の裾の左端部及び右端部にそれぞれ係止部材が取り付けられ、
該係止部材に対し着脱自在である被係止部材が、前記衣服本体の前身頃における左右の脇よりも腹側にそれぞれ設けられてなることを特徴とするリュックサック保持衣服。
【請求項７】
前記リュックサック保持具が前記衣服本体に対して縫着状態または着脱自在である請求項１〜６のいずれか１項に記載のリュックサック保持衣服。
【請求項８】
衣服に着脱自在のリュックサック保持具であって、
該リュックサック保持具は、リュックサック保持本体部と一対の係止具を備え、
前記保持本体部は、その上縁に前記衣服の背側襟元部に着脱自在な装着部材を有し、
前記保持本体部の裾の左端部に前記係止具の一方係止部材が取り付けられると共に、前記保持本体部の裾の右端部に前記係止具の他方係止部材が取り付けられてなることを特徴とするリュックサック保持具。
【考案の詳細な説明】
【技術分野】
【０００１】
本考案は、リュックサックを身体に固定することの可能なリュックサック保持衣服及びリュックサック保持具に関するものである。
【背景技術】
【０００２】
山岳や林間を走るスポーツとしてトレイルランニング（山岳マラソン）が知られている。トレイルランニングでは、長時間走ることになるので、水筒や補給食、種々の小物等をリュックサック（尚「リュックサック」の語には、バックパック等の様々な背負袋が包含される）に詰め込み、これを背負った状態でランニングする。
【０００３】
リュックサックは、そのショルダーベルトを肩にかけて背中に担ぐものであるが、これに更にショルダーハーネスやウエストベルトが付設されたものも知られており、これらでリュックサックをより強く身体に保持できるようになっている。
【０００４】
他方、背負った状態のリュックサックに対する雨避け用として、リュックサックカバー付きのジャケットが提案されている（例えば特許文献１参照）。このカバー付きジャケットは、長方形のリュックサックカバーの上辺中央部がジャケットの背側襟元部に縫着されており、リュックサックカバーをはね上げた状態でリュックサックを背負い、その外側へリュックサックカバーを引き戻してリュックサックを覆い、リュックサックカバーの上辺の左右に設けられた留め具と、ジャケット側の両肩部に設けられた固定具とを係着して上辺部を固定すると共に、リュックサックカバーの脇裾に設けられた留め具に、これと対応するジャケット側の固定具を留めて用いるものである。リュックサックカバーはジャケットの後身頃よりもやや大きめに形成され、両脇線部や裾縁部の紐通し部に挿通された紐の長さを調節することで、リュックサックの形状・大きさに対応できるようになっている。この様なリュックサックカバーは雨避け商品としては一応の目的は達せられるかもしれないが、トレイルランニング用としては、以下述べるような事情により、その機能は不十分である。
【特許文献１】特開２００４−５２１３９号公報
【考案の開示】
【考案が解決しようとする課題】
【０００５】
トレイルランニングではリュックサックを背負った状態で走るが、この走る動作によりリュックサックが垂直上下または斜め上下に振動する。この振動は、たとえチェストベルトやウエストベルト等をきつく締め付けても、十分に抑制することは困難である。また特許文献１記載の雨避けカバーでは、リュックサックの上下ないし側方からの水を防ぐという視点のみから構成されているだけであり、リュックサックを背中と一体的に固定するという機能は備えておらず、従ってリュックサックの振動の抑制はできない。
【０００６】
このため、トレイルランニング中はリュックサックの振動が重力加速度として（リュックサックの静荷重よりも遙かに重い加重として）身体に伝わり、しかもそれが繰り返し負荷されるので、単に不快であるだけでなく、体力を消耗する原因にもなる。
【０００７】
本考案はこの様な事情に着目してなされたものであって、その目的は、リュックサックの振動を抑制することのできるリュックサック保持衣服、またリュックサック保持具を提供することにある。
【課題を解決するための手段】
【０００８】
本考案に係るリュックサック保持衣服は、衣服本体とリュックサック保持具を備えたものであり、前記リュックサック保持具が、リュックサック保持本体部と一対の係止具を有し、前記保持本体部の上縁が前記衣服本体の背側襟元部に接続され、且つ前記保持本体部の裾の左端部に前記係止具の一方係止部材が取り付けられると共に、前記保持本体部の裾の右端部に前記係止具の他方係止部材が取り付けられてなることを特徴とする。
【０００９】
上記リュックサック保持本体部はシート状のものであり、その材料としては、布帛、合成樹脂製シート（またはフィルム）、網等が挙げられる。これらは任意の積層構造で構成できる。なお上記「布帛」とは織物，編物，並びに不織布等を指す。
【００１０】
本考案のリュックサック保持衣服の使用にあたっては、衣服本体の背中にリュックサックを担ぎ、リュックサックの外側から上記保持本体部を被せるようにし、前記係止具の一方係止部材及び他方係止部材を接続する。このとき、保持本体部に取り付けられた一方係止部材と他方係止部材同士を接続しても良いし（接続態様[1]）、或いは衣服本体の前身頃に、上記一方係止部材，他方係止部材にそれぞれ接続可能な被係止部材を設け、これらにそれぞれを接続させても良い（接続態様[2]）。
【００１１】
なお上記各係止部材の接続（一方係止部材と他方係止部材の接続、一方係止部材と被係止部材の接続、他方係止部材と被係止部材の接続）はいずれも着脱自在である。
【００１２】
ここで、まず上記接続態様[1]（保持本体部に取り付けられた一方係止部材と他方係止部材を接続する場合）について説明する。
【００１３】
接続態様[1]での接続により、リュックサック保持具の裾周り（一方係止部材〜保持本体部の裾部〜他方係止部材）が身体の胴回りを一周するようになる。このとき一方係止部材と他方係止部材の部分が腹側で引き寄せられることで、背側襟元部に繋がった上縁を支点として保持本体部全体が身体に引き寄せられ、リュックサックをその外側から保持、固定することとなる。こうしてリュックサックが身体に固定される結果、リュックサックの振動が抑制される。
【００１４】
この際、前記一方係止部材及び／または前記他方係止部材を、長さ調節可能な紐（以下、長さ調節紐と称することがある）を介して前記リュックサック保持本体部の裾の左／右端部に取り付けたものとすれば、この長さ調節紐の長さを調節することで、リュックサック保持具の裾周りによる締め付け力を加減することができ、リュックサックの固定力を必要な程度まで任意に高めることができるので好ましい。またリュックサック内の荷物量の多少によってリュックサックの大きさが変わっても、それに応じて長さ調節紐でリュックサック保持具裾周りの長さを変えることができ、リュックサックを身体に確り固定できる。
【００１５】
なお長さ調節紐を一方係止部材と他方係止部材の両方に設けても良いし、一方のみであっても良い。いずれの場合であっても胴回りの一周長さを調整できる点で、異なるところがない。
【００１６】
次に上記接続態様[2]（衣服本体の前身頃に設けられた被係止部材に上記一方係止部材と上記他方係止部材をそれぞれ接続する場合）について説明する。
【００１７】
この態様[2]の場合は、リュックサック保持具のみで身体の胴回りを一周することはないが、不足部分（一周の途切れた部分）は、衣服本体の前身頃の布帛により補完されるので、結果的にリュックサック保持具の裾周りと衣服本体の前身頃の部分とが合わさることにより身体の胴回りを一周する状態が形成され、よってリュックサックを身体に固定することができ、振動を抑制できる。なおこの場合においても上記長さ調節紐により締め付け具合を調節すると良い。
【００１８】
尤も接続態様[2]では、胴回り一周のうち２箇所で係止部材を接続することになり、言うなれば、分断したパーツをつなぎ合わせて一周回りの構成となるため、接続態様[1]よりも締め付け力が弱くなる。従って接続態様[1]の方が望ましい。
【００１９】
ここで、接続態様[2]が採用される場合の構成としては、保持本体部の裾の左／右端部に取り付けられた一方係止部材と他方係止部材が、係止メカニズムとして対応的に機能するような一対構成である必要はない。例えば裾の左／右端部に取り付けられた係止部材をいずれも機械的係合部材の雄部材で構成し、これらに対応する雌部材を衣服本体の前身頃に設けた構成とすることもできる。
【００２０】
即ち、この場合における本考案のリュックサック保持衣服とは、衣服本体とリュックサック保持具を備えたものであり、該リュックサック保持具が、前記衣服本体の背側襟元部にその上縁が接続されたリュックサック保持本体部を有し、この保持本体部の裾の左端部及び右端部にそれぞれ係止部材が取り付けられ、これら係止部材に対し着脱自在である被係止部材が、前記衣服本体の前身頃における左右の脇よりも腹側にそれぞれ設けられたものである。
【００２１】
これら左右の被係止部材の離間距離（Ｄ）はなるべく小さい方が好ましい。使用にあたり、身体の胴回り一周のうちのなるべく長い範囲をリュックサック保持具の裾周りで占めた方が、一層強くリュックサックを身体に固定できるからである。
【００２２】
よって上記左右の被係止部材の位置は、正中線を中心に前身頃の幅の１／２の範囲内に設けることが好ましい。
【００２３】
更に本考案においては、前記保持本体部における裾縁が、中央部分が上向きにカーブした形状であることが好ましい。
【００２４】
保持本体部の裾縁が、正中線と直交する直線状のものでは、リュックサックの外側から保持本体部を被せて装着したときに、保持本体部の裾がだぶついて皺状になることがある。また裾縁が、中央部分が下向きにカーブしたものでは、上記の様に皺状になることに加えて、裾の左／右端部を前に引っ張っても、下向きに膨らんだ部分には張力が伝わらず、はためく様になる。これに対し、上向きにカーブした形状であると、だぶつき等を生じず、スッキリとした外観を呈し、また装着感が向上する。
【００２５】
また本考案においては、前記保持本体部が、その上縁を上底、裾縁を下底とする略台形状であり、前記衣服本体の背側襟元部への接続が前記上縁の全域によりなされており、前記保持本体部における裾の前記左端部及び前記右端部が、前記衣服本体の脇部を経て更に腹側へ延出したものであることが好ましい。
【００２６】
仮に保持本体部の上縁が背側襟元部よりも長く、上縁の両端部分が接続されずに余った状態であると、使用時に裾の左／右端部を引っ張っても、上記上縁の余った部分（両端部分）には張力が伝わらず、この余った部分がはためく様になる。このため、装着感に劣る懸念がある。
【００２７】
しかし上記の様に上縁の全域が背側襟元部に接続され、台形状に裾広がりになって裾の左／右端部が延出したものであると、左／右端部を引っ張ったときに、上縁から側縁の部分がだぶつかずに張りつめた状態となり、はためくことがない。よってリュックサックの左右の装着感が良好となる。
【００２８】
なお上縁の長さとしては、衣服本体の背側襟元部の全長である必要はなく、該全長以下（３００mm以下）で、背側襟元部の全長の１／３以上（１００mm以上）であることが好ましい。上述の通り背側襟元部の長さより長いと、その部分が余ってはためくことになる懸念があり、一方短すぎると、リュックサックの保持が不十分となる虞があるからである。
【００２９】
本考案においては、前記保持本体部が、その上縁を上底、裾縁を下底とする略台形状であり、前記衣服本体の背側襟元部への接続が前記上縁の全域によりなされており、この略台形状の上半分における横幅が、前記衣服本体１１の背肩幅（Ｗs）の２／３以下であることが好ましい。なお背肩幅とはＪＩＳ  Ｌ  ０１１１  に示されるとおり、左右のショルダポイント間の幅である。
【００３０】
仮に上半分においてその横幅が広すぎると、保持本体部の側部上方がリュックサックの横幅を越え、この越えた部分で布がだぶつく虞がある。これに対し、上述の様に保持本体部の上半分の横幅が十分に狭いものであれば、左右の側縁が、背負ったリュックサックの上を通ることになり、保持本体部の布帛等にだぶつきを生じず、リュックサックを確り押さえ込むことができる。
【００３１】
本考案に係るリュックサック保持衣服においては、前記リュックサック保持具が前記衣服本体に対して縫着状態または着脱自在のいずれであっても良い。即ちリュックサック保持具における保持本体部の上縁と衣服本体の背側襟元部との接続が、縫着により確りと取り付けられたものであっても、ファスナーの如き機械的係合部材等により着脱自在に構成したものであっても良い。
【００３２】
着脱自在に構成したものでは、リュックサックの保持を要しないときには、リュックサック保持具を取り外し、衣服本体を通常の衣服として使用することもできる。
【００３３】
また本考案に係るリュックサック保持具は、衣服に着脱自在であって、該リュックサック保持具は、リュックサック保持本体部と一対の係止具を備え、前記保持本体部が、その上縁に前記衣服の背側襟元部に着脱自在な装着部材を有し、前記保持本体部の裾の左端部に前記係止具の一方係止部材が取り付けられると共に、前記保持本体部の裾の右端部に前記係止具の他方係止部材が取り付けられてなるものである。
【００３４】
本考案のリュックサック保持具は、上述のリュックサック保持衣服におけるリュックサック保持具に相当する。
【００３５】
このリュックサック保持具の使用にあたっては、まず装着部材によってリュックサック保持具の上縁を衣服の背側襟元部に取り付け、その後、上記リュックサック保持衣服と同様に保持本体部をリュックサックの外側から被せて一方係止部材及び他方係止部材を接続する（上記接続態様[1]と同じ）。そしてこれにより上記と同じく、衣服の背側襟元部に取り付けた上縁を支点として保持本体部全体が身体に引き寄せられてリュックサックが身体に固定され、リュックサックの振動が抑制される。
【考案の効果】
【００３６】
本考案に係るリュックサック保持衣服やリュックサック保持具によれば、背負ったリュックサックを、保持本体部により外側から押さえ込むように保持して身体に固定できる。従って走ったとき等のリュックサックの振動を抑制することができ、振動による身体への負荷を低減でき、快適である。
【考案を実施するための最良の形態】
【００３７】
＜実施形態１＞
図１は本考案の実施形態１に係るリュックサック保持衣服１０を示す図であり、（ａ）は背面図、（ｂ）は正面図である。
【００３８】
リュックサック保持衣服１０は、衣服本体１１と、この背面に位置するリュックサック保持具１２からなる。リュックサック保持具１２は織物製の保持本体部１５と一対の係止具（一方係止部材１３と他方係止部材１４）を備える。
【００３９】
保持本体部１５は略台形状をしており、その上底である上縁１５ａは衣服本体１１の背側襟元部１１ａの全長に適合する長さであって、この上縁１５ａ全域で背側襟元部１１ａに縫着されている。
【００４０】
保持本体部１５における裾の左／右端部１５ｂ，１５ｃは、上記衣服本体１１の脇部を経て更に腹側に延出できる長さである。この裾の左端部１５ｂには長さ調節紐１６を介して上記係止具の一方係止部材１３が取り付けられ、裾の右端部１５ｃには長さ調節紐１７を介して上記係止具の他方係止部材１４が取り付けられている。これら一方係止部材１３と他方係止部材１４は対のものであり、着脱自在となっている。
【００４１】
衣服本体１１の左右の前身頃２５，２６における腹部の位置には、上記一方係止部材１３と他方係止部材１４にそれぞれ着脱自在な被係止部材１８，１９が設けられている。この被係止部材１８，１９はカバー布３３，３４で覆われており、カバー布３３，３４のそれぞれ外側側辺（左のカバー布３３の左側辺、右のカバー布３４の右側辺）に開いた開口３３ａ，３４ａから相手側の係止部材１３，１４を挿入して接続できるようになっている。
【００４２】
上記係止具としては、例えばワンタッチバックル等の機械的係止部材が挙げられ、その雌部材を一方係止部材１３と被係止部材１９に用い、雄部材を他方係止部材１４と被係止部材１８に用いる。
【００４３】
保持本体部１５における裾縁１５ｄは、その中央部分を中心に上向きにカーブした左右対称の形状である。詳しくは、左／右端部１５ｂ，１５ｃにおける裾縁同士を直線で結んだ線１５ｚ（図１（ａ）に二点鎖線で示す）より５０〜２００mm［Ｌ2］（好ましくは８０〜１５０mm）中心がせり上がるようにして、滑らかな弓状を描く。
【００４４】
保持本体部１５における側縁１５ｅ，１５ｆも、中央に向かってカーブした形状である。
【００４５】
保持本体部１５の縦の長さ（正中線の長さ）Ｌ1は３００〜７５０mm（好ましくは５００〜６００mm）である。この縦の長さＬ1の半分の位置における横幅Ｗ1は１００〜５００mm（好ましくは１５０〜３００mm）であり、衣服本体１１の背肩幅Ｗsの１／５以上、２／３以下（好ましくは３／１０以上、３／５以下）となっている。縦の半分の位置（Ｗ1の位置）より上側（上半分）はＷ1以下の横幅となっている。
【００４６】
次にリュックサック保持衣服１０の使用方法について述べる。
【００４７】
図２，３は、リュックサック保持衣服１０によるリュックサック６０の保持状態を表す図であり、図２（ａ）は背面図、図２（ｂ）は正面図で、図３（ａ），（ｂ）は側面図である。
【００４８】
使用にあたっては、まずリュックサック保持衣服１０を着用し、リュックサック保持具１２を捲るようにしつつ衣服本体１１の背側面にリュックサック６０を担ぐ。或いは衣服本体１１の背側面に重ねたリュックサック保持具１２の上からリュックサック６０を担いだ後、首の後で左右のショルダーベルト６０ａの間からリュックサック保持具１２を引き出すようにしても良い。次いでリュックサック６０の外側からリュックサック保持具１２を被せ、その一方係止部材１３及び他方係止部材１４を腹側に回してこれらを接続する。この際、適宜長さ調節紐１６，１７を調節して、リュックサック保持具１２の裾周り（一方係止部材１３〜長さ調節紐１６〜保持本体部１５の裾部〜長さ調節紐１７〜他方係止部材１４）の長さを調整し、身体の胴回りに締め付けるようにする。
【００４９】
こうして、上縁１５ａを支点に裾の左／右端部１５ｂ，１５ｃが腹側に引き寄せられることで、保持本体部１５がリュックサック６０をその外側から押さえ込み、身体に固定する。その結果、走った際等のリュックサック６０の振動が抑制される。
【００５０】
またリュックサック６０には、出し入れ口やポケットに設けられたファスナーの引手部等がぶら下がっているものがあるが、この引手部等は保持本体部１５によって押さえられて揺動が抑制される。なおリュックサック保持具１２はその裾縁１５ｄがリュックサック６０の下方部分の上を横切り、また側縁１５ｅ，１５ｆがリュックサック６０の左右部分の上を通るようになっているが、その横幅や縦の長さは十分に大きく、上記引手部等を押さえることが可能である。
【００５１】
図３（ａ）はリュックサック６０の中の荷物が多い場合で、（ｂ）は少ない場合であるが、図に示すように、リュックサック保持衣服１０はリュックサック６０内の荷物の多少にかかわらず、リュックサック保持具１２の裾周りの長さを調節して、確実に固定できる。また着用者の胴回りのサイズの大小にも対応できる。
【００５２】
次に保持本体部１５の形状に関して、図１〜３を参照しながらより詳しく述べる。
【００５３】
保持本体部１５は、その上縁１５ａの全域が背側襟元部１１ａに縫着され、台形状に裾広がりになっているから、その左／右端部１５ｂ，１５ｃ（台形の下底の両端）を引っ張ったときに、側縁１５ｅ，１５ｆの部分がだぶつかずに張りつめた状態となる。よってリュックサック６０の左右を確りと押圧でき、装着感が良い。
【００５４】
殊に保持本体部１５の側縁１５ｅ，１５ｆが中央に向かってカーブした形状であるので、保持本体部１５の左／右端部１５ｂ，１５ｃが身体及びリュックサック６０の側面に沿って上手くカーブし、皺がよらずにスッキリとした外観となる。
【００５５】
保持本体部１５の上半分の横幅について、狭すぎるとリュックサック６０を保持しきれず、一方長すぎると、左／右端部１５ｂ，１５ｃを腹側に引っ張ったときに、側縁１５ｅ，１５ｆの部分に皺やだぶつきを生じる懸念がある。このため上記の通り縦方向半分の位置の横幅Ｗ1が１００〜５００mm（より好ましくは１５０〜３００mm）〔背肩幅Ｗsの１／５以上、２／３以下（好ましくは３／１０以上、３／５以下）〕で、上半分がこの横幅Ｗ1以下であることが好ましい。
【００５６】
なお走りながら給水できる装備として、リュックサック６０に入れた吸水パックからチューブを延ばし、ここから飲水できるハイドレーションシステムが知られているが、本実施形態では保持本体部１５の上方部の横幅が十分に狭いので、リュックサック６０の出し入れ口から上記チューブを延ばし出し易く、使い勝手が良い。
【００５７】
保持本体部１５の縦の長さＬ1に関しては、短すぎると、リュックサック６０を保持しきれず、一方長すぎると、リュックサック６０の底面よりも下に保持本体部１５の裾縁１５ｄが位置するようになり、この場合もリュックサック６０を良好に保持できない虞がある。従って縦の長さＬ1は上記の通り３００〜７５０mm（より好ましくは５００〜６００mm）が好ましい。
【００５８】
また裾縁１５ｄが上向きにカーブした形状であるので、裾部分に皺がよらずにスッキリとした外観になる。
【００５９】
リュックサック６０を背負わない場合には、図４（リュックサック保持衣服１０の正面図）に示すように、リュックサック保持具１２の一方係止部材１３と衣服本体１１の前身頃２５の被係止部材１８を接続し、リュックサック保持具１２の他方係止部材１４と衣服本体１１の前身頃２６の被係止部材１９を接続すれば、保持本体部１５の左／右端部１５ｂ，１５ｃが衣服本体１１に沿うようになって邪魔にならず、スッキリとした外観になる。尚この際、長さ調節紐１６，１７を縮めて左／右端部１５ｂ，１５ｃの部分が余らないようにすると良い。
【００６０】
保持本体部１５の材料としては、上記の織物に限らず、編物や不織布等であっても良く、更に網や合成樹脂製シート等であっても良い。網製の保持本体部１５の場合は、ファスナーの引手部がメッシュ孔からはみ出て揺れることを防止する為、過度に大きなメッシュ孔のものを用いないようにすると良い。メッシュ孔の大きさとしては最大径（例えば四角い孔の場合はその対角線の長さ）が５mm以下であることが推奨される。
【００６１】
また保持本体部１５の素材としては、ポリウレタン等の伸縮性の良好な素材であっても良いし、或いは伸縮性のない（或いは乏しい）素材（例えばナイロンタフタ）であっても良い。このうち伸縮性のない（或いは乏しい）素材の方がリュックサックを強固に固定することができる。一方伸縮性の良好な素材の場合は、リュックサックに被せて係止部材１３，１４を接続する際に、保持本体部１５を伸長させるようにすれば、長さ調節紐１６，１７での締め付けが多少緩んでも、リュックサックを確りと保持し続けることができる。
【００６２】
＜実施形態２＞
図５は本考案の実施形態２に係るリュックサック保持具３０を示す背面図である。なお図１と同一の符号を付した箇所は、図１の例と同じ構成部分である。
【００６３】
このリュックサック保持具３０の保持本体部１５の上縁１５ａには装着部材３１が設けられており、この装着部材３１によりに衣服の背側襟元部に着脱できるようになっている。例えば衣服の背側襟元部と上記装着部材３１がスライドファスナーの一方と他方の関係となっており、これにより着脱自在としたもの等が挙げられる。
【００６４】
他の構成は上記実施形態１のリュックサック保持具１２と同様である。
【００６５】
実施形態２のリュックサック保持具３０の使用にあたっては、まず装着部材３１により衣服の背側襟元部にリュックサック保持具３０を取り付け、その後、上記実施形態１と同様に、衣服の上に担いだリュックサック６０の外側からリュックサック保持具３０を被せるようにし、一方係止部材１３と他方係止部材１４を腹側で接続する。
【００６６】
これにより、衣服の背側襟元部に接続した保持本体部１５の上縁１５ａを支点にして左／右端部１５ｂ，１５ｃが腹側に引き寄せられ、保持本体部１５がリュックサック６０を外側から押さえ込むこととなる。こうしてリュックサック６０は身体に固定され、振動が抑制される。
【００６７】
またリュックサック６０のファスナー引手部等は保持本体部１５により押さえられ、揺れが抑制される。
【００６８】
＜実施形態３＞
図６は本考案の実施形態３に係るリュックサック保持衣服４０を示す背面図であり、図７は、このリュックサック保持衣服４０によりリュックサック６０を装着した状態を表す正面図である。なお図１，２と同一の符号を付した箇所は、図１，２の例と同じ構成部分である。
【００６９】
リュックサック保持具２１における保持本体部１５の裾の左／右端部１５ｂ，１５ｃにはそれぞれ長さ調節紐１６，１７を介して係止部材２３，２４が取り付けられている。そして係止部材２３，２４と着脱自在な被係止部材２８，２９が、衣服本体１１の前身頃２５，２６における左右の脇よりも腹側の位置に設けられている。
【００７０】
なお上記係止部材２３，２４としては、例えばワンタッチバックルの雄部材を用い、被係止部材２８，２９にこれの雌部材を用いる。
【００７１】
他の構成は上記実施形態１と同様である。
【００７２】
使用にあたって実施形態３では、保持本体部１５の左／右端部１５ｂ，１５ｃの先の係止部材２３，２４を前身頃２５，２６の被係止部材２８，２９に接続する。こうして、リュックサック保持具１２の裾部（係止部材２３〜長さ調節紐１６〜保持本体部１５の裾部〜長さ調節紐１７〜係止部材２４）及び被係止部材２８，２９間の前身頃２５，２６の部分によって身体の胴回りを一周することとなり、適宜長さ調節紐１６，１７を調節して胴回りを締め付けるようにしてリュックサック６０を固定する。
【００７３】
これら被係止部材２８，２９の離間間隔Ｄ（被係止部材２８の中心から被係止部材２９の中心までの長さ）は３００mm以下であることが好ましく、より好ましくは５０mm以下である。前身頃２５，２６の布は概して弱く、離間間隔Ｄが広すぎる場合はリュックサック６０を確りと保持し難くなる懸念があるからである。
【００７４】
本実施形態３においても、リュックサック６０が身体に固定されて振動が抑制され、またリュックサック６０のファスナー引手部等も保持本体部１５により押さえられて揺れが抑制される。
【００７５】
以上、例を挙げて本考案を具体的に説明したが、本考案はもとより上記例によって制限を受けるものではなく、前記の趣旨に適合し得る範囲で適当に変更を加えて実施することも勿論可能であり、それらはいずれも本考案の技術的範囲に包含される。
【００７６】
例えば実施形態１，３のリュックサック保持衣服１０，４０では、リュックサック保持具１２，２１が衣服本体１１に対してその背側襟元部で縫着されたものを示したが、着脱自在であっても良い。
【００７７】
実施形態１，３では衣服本体１１として長袖のものを示したが、半袖やベストタイプのもの等であっても良い。
【産業上の利用可能性】
【００７８】
本考案のリュックサック保持衣服やリュックサック保持具の使用により、トレイルランニングにおいて、背負ったリュックサックの振動が抑制され、快適な走行を図ることができる。またトレイルランニングに限らず、様々な場面においてリュックサックの身体への固定を望む場合にも本考案は有効である。
【図面の簡単な説明】
【００７９】
【図１】本考案に係るリュックサック保持衣服を示す図である。
【図２】実施形態１のリュックサック保持衣服によるリュックサックの保持状態を表す図である。
【図３】実施形態１のリュックサック保持衣服によるリュックサックの保持状態を表す側面図である。
【図４】実施形態１において、リュックサックを背負わない場合のリュックサック保持衣服の正面図である。
【図５】本考案の実施形態２に係るリュックサック保持具を示す背面図である。
【図６】本考案の実施形態３に係るリュックサック保持衣服を示す背面図である。
【図７】実施形態３のリュックサック保持衣服によりリュックサックを装着した状態の正面図である。
【符号の説明】
【００８０】
１０，４０  リュックサック保持衣服
１１  衣服本体
１１ａ  背側襟元部
１２，２１，３０  リュックサック保持具
１３  一方係止部材
１４  他方係止部材
１５  保持本体部
１５ａ  上縁
１５ｂ  裾の左端部
１５ｃ  裾の右端部
１５ｄ  裾縁
１６，１７  長さ調節紐
１８，１９，２８，２９  被係止部材
２３，２４  係止部材
【図１】
0003149241.tif 000003
【図４】
0003149241.tif 000004
【図５】
0003149241.tif 000005
【図６】
0003149241.tif 000006
【図７】
0003149241.tif 000007
【図２】
0003149241.tif 000008
【図３】
0003149241.tif 000009